(57)【要約】【課題】電力計量装置の設備間を適正に配線する電力計量装置の配線構造を提供する。【解決手段】電力計量装置１０は、変成器Ｖｃと接続したチェックターミナルＴＴ、買電用電力量計１Ｍｅ、及び、売電用電力量計２Ｍｅを備える。電力計量装置の配線構造は、絶縁被覆を色分けした複数の電気ケーブルを用いて、これらの設備間を配線している。電力計量装置の配線構造は、チェックターミナルＴＴと買電用電力量計１Ｍｅとを配線した第１電気ケーブル群Ｇ１と、買電用電力量計１Ｍｅと売電用電力量計２Ｍｅとを配線した第２電気ケーブル群Ｇ２と、チェックターミナルＴＴと売電用電力量計２Ｍｅとを配線した電気ケーブル対ＣＰと、を備え、第１電気ケーブル群Ｇ１と電気ケーブル対ＣＰをチェックターミナルＴＴに向かって合流させ、これらの電気ケーブルＣｂの周囲をケーブルカバー１ｃで覆っている。【選択図】図３
2019105525.tif 000002
【特許請求の範囲】
【請求項１】
変成器と接続したチェックターミナル、買電用電力量計、及び、売電用電力量計で構成した電力計量装置を屋内に設置する場合に、絶縁被覆を色分けした複数の電気ケーブルを用いて、これらの設備間を配線した電力計量装置の配線構造であって、
前記チェックターミナルと前記買電用電力量計とを配線した第１電気ケーブル群と、
前記買電用電力量計と前記売電用電力量計とを配線した第２電気ケーブル群と、
前記チェックターミナルと前記売電用電力量計とを配線した電気ケーブル対と、
前記第１電気ケーブル群と前記電気ケーブル対を前記チェックターミナルに向かって合流させ、これらの電気ケーブルの周囲を覆ったケーブルカバーと、を備えている、電力計量装置の配線構造。
【請求項２】
前記買電用電力量計から前記チェックターミナルに延びる電気ケーブルの色相と異なる色相を有する識別手段を前記電気ケーブル対の電気ケーブルに設けている、請求項１記載の電力計量装置の配線構造。
【請求項３】
前記識別手段は、前記電気ケーブル対の電気ケーブルの外周に巻回した粘着テープからなる、請求項２記載の電力計量装置の配線構造。
【請求項４】
前記識別手段は、前記チェックターミナルの内部で、前記電気ケーブル対の電気ケーブルの外周に部分的に取り付けた絶縁カラーからなる、請求項２記載の電力計量装置の配線構造。
【請求項５】
前記識別手段は、前記チェックターミナルの内部で、前記電気ケーブル対の電気ケーブルの外周に部分的に取り付けた識別テープからなる、請求項２記載の電力計量装置の配線構造。
【発明の詳細な説明】
【技術分野】
【０００１】
本発明は、電力計量装置の配線構造に関する。特に、変成器と接続したチェックターミナル、買電用電力量計、及び、売電用電力量計で構成した電力計量装置を屋内に設置する場合に、これらの設備間を適正に配線する電力計量装置の配線構造に関する。
【背景技術】
【０００２】
例えば、電力会社に売電する電力量を計測する売電用電力量計と、電力会社から買電する電力量を計測する買電用電力量計を一つにまとめ、電力会社に売電する電力を全量買い取る全量買い取り方式、又は、余剰の電力を電力会社に売電する余剰買い取り方式のいずれの方式にも対応できる電力量計が開示されている（例えば、特許文献１参照）。
【先行技術文献】
【特許文献】
【０００３】
【特許文献１】特開２０１５−３１６３１号公報
【発明の概要】
【発明が解決しようとする課題】
【０００４】
特許文献１に開示されたように、現在では、太陽光発電設備などで発電した余剰の電力を電力会社に販売できる。この場合、従来は、電力会社に売電する電力量を計測する売電用電力量計、及び、電力会社に売電する電力を変電する変成器（ＶＣＴ）を売電者側で設置する必要があった。
【０００５】
しかし、電力の小売全面自由化に伴う諸制度の変更、及び、低圧スマートメータの導入を踏まえ、売電用電力量計を電力会社が所有及び管理することに変更された。そして、この変更に伴って、電力会社が所有する買電用電力量計、追加された売電用電力量計、及び、電力会社が所有する変成器の各設備を配線する工事を電力会社が実施している。
【０００６】
上述した配線工事では、互いに異なる色相で色分けした絶縁被覆を有する複数の電気ケーブル（すなわち、カラーコード）を用いて、各設備に設けた端子台の間を配線している。互いに異なる色相で色分けしたカラーコードを用いることで、各端子台の端子の相互接続関係を視覚的に明確化できる。
【０００７】
従来の配線工事は、チェックターミナルと買電用電力量計を接続していた七本の電気ケーブルの内、売電用電力量計の増設に伴って、不要になった二本の電気ケーブルを、七本の電気ケーブルの周囲を覆ったケーブルカバーの両端部で絶縁可能に端末処理していた。つまり、不要な電気ケーブルをケーブルカバーの内部に収容するなど無駄が多かった。
【０００８】
又、従来の配線工事は、売電用電力量計の増設に伴って、売電用電力量計とチェックターミナルを二本の電気ケーブルで接続していたが、チェックターミナルには、買電用電力量計から延びる同色の電気ケーブルが接続されているので、配線ミスを誘発する一因となっていた。
【０００９】
以上のことから、変成器と接続したチェックターミナル、買電用電力量計、及び、売電用電力量計で構成した電力計量装置を屋内に設置する場合に、配線の無駄を削減し、配線ミスを誘発することが無い電力計量装置の配線構造が求められている。そして、以上のことが本技術の課題といってよい。
【００１０】
本発明は、このような課題に鑑みてなされたものであり、変成器と接続したチェックターミナル、買電用電力量計、及び、売電用電力量計で構成した電力計量装置を屋内に設置する場合に、配線の無駄を削減し、配線ミスを誘発すること無く、これらの設備間を適正に配線する電力計量装置の配線構造を提供することを目的とする。
【課題を解決するための手段】
【００１１】
本発明者らは、チェックターミナルと買電用電力量計を配線した第１電気ケーブル群と、チェックターミナルと売電用電力量計を配線した電気ケーブル対をチェックターミナルに向かって合流させ、これらの電気ケーブルの周囲をケーブルカバーで覆うと共に、買電用電力量計からチェックターミナルに延びる電気ケーブルの色相と異なる色相を有する識別手段を電気ケーブル対のチェックターミナル側の電気ケーブルに設けることで、配線の無駄を削減し、配線ミスを誘発すること無く、これらの設備間を適正に配線できると考え、これに基づいて、以下のような新たな電力計量装置の配線構造を発明するに至った。
【００１２】
（１）本発明による電力計量装置の配線構造は、変成器と接続したチェックターミナル、買電用電力量計、及び、売電用電力量計で構成した電力計量装置を屋内に設置する場合に、絶縁被覆を色分けした複数の電気ケーブルを用いて、これらの設備間を配線した電力計量装置の配線構造であって、前記チェックターミナルと前記買電用電力量計とを配線した第１電気ケーブル群と、前記買電用電力量計と前記売電用電力量計とを配線した第２電気ケーブル群と、前記チェックターミナルと前記売電用電力量計とを配線した電気ケーブル対と、前記第１電気ケーブル群と前記電気ケーブル対を前記チェックターミナルに向かって合流させ、これらの電気ケーブルの周囲を覆ったケーブルカバーと、を備えている。
【００１３】
（２）前記買電用電力量計から前記チェックターミナルに延びる電気ケーブルの色相と異なる色相を有する識別手段を前記電気ケーブル対の電気ケーブルに設けていることが好ましい。
【００１４】
（３）前記識別手段は、前記電気ケーブル対の電気ケーブルの外周に巻回した粘着テープからなってもよい。
【００１５】
（４）前記識別手段は、前記チェックターミナルの内部で、前記電気ケーブル対の電気ケーブルの外周に部分的に取り付けた絶縁カラーからなってもよい。
【００１６】
（５）前記識別手段は、前記チェックターミナルの内部で、前記電気ケーブル対の電気ケーブルの外周に部分的に貼着した識別テープからなってもよい。
【発明の効果】
【００１７】
本発明による電力計量装置の配線構造は、チェックターミナルと買電用電力量計とを配線した第１電気ケーブル群と、チェックターミナルと売電用電力量計とを配線した電気ケーブル対をチェックターミナルに向かって合流させ、これらの電気ケーブルの周囲をケーブルカバーで覆っているので、無駄なく配線できる。
【００１８】
本発明による電力計量装置の配線構造は、買電用電力量計からチェックターミナルに延びる電気ケーブルの色相と異なる色相を有する識別手段を電気ケーブル対の電気ケーブルに設けているので、配線ミスを誘発すること無く、電力計量装置の設備間を適正に配線できる。
【図面の簡単な説明】
【００１９】
【図１】本発明の一実施形態による電力計量装置の配線構造の回路構成を示す機能ブロック図である。
【図２】前記実施形態による電力計量装置の配線構造の回路構成を示す機能ブロック図であり、電力計量装置の配線構造の実体配線を示す図である。
【図３】前記実施形態による電力計量装置の配線構造の回路構成を示す機能ブロック図であり、電力計量装置の配線構造の要部の実体配線を示す図である。
【図４】前記実施形態による電力計量装置の各設備間を電気的に接続する電気ケーブルの配線色を示した表であり、図４の表１は、買電用電力量計と売電用電力量計の配線表、図４の表２は、買電用電力量計とチェックターミナルの配線表、図４の表３は、売電用電力量計とチェックターミナルの配線表である。
【発明を実施するための形態】
【００２０】
以下、図面を参照して本発明を実施するための形態を説明する。
［電力計量装置の配線構造］
最初に、本発明の一実施形態による電力計量装置の配線構造を説明する。
【００２１】
図１は、本発明の一実施形態による電力計量装置の配線構造の回路構成を示す機能ブロック図である。
【００２２】
図２は、前記実施形態による電力計量装置の配線構造の回路構成を示す機能ブロック図であり、電力計量装置の配線構造の実体配線を示す図である。
【００２３】
図３は、前記実施形態による電力計量装置の配線構造の回路構成を示す機能ブロック図であり、電力計量装置の配線構造の要部の実体配線を示す図である。
【００２４】
図４は、前記実施形態による電力計量装置の各設備間を電気的に接続する電気ケーブルの配線色を示した表であり、図４の表１は、買電用電力量計と売電用電力量計の配線表、図４の表２は、買電用電力量計とチェックターミナルの配線表、図４の表３は、売電用電力量計とチェックターミナルの配線表である。
【００２５】
図１から図３を参照すると、本発明の一実施形態による電力計量装置１０は、変成器ＶｃとチェックターミナルＴＴを備えている。又、電力計量装置１０は、買電用電力量計１Ｍｅと売電用電力量計２Ｍｅを備えている。
【００２６】
図１から図３を参照すると、変成器Ｖｃは、例えば、電柱に設置されている。つまり、変成器Ｖｃは屋外に設置されている。一方、チェックターミナルＴＴ、買電用電力量計１Ｍｅ、及び、売電用電力量計２Ｍｅは、キャビネット（図示せず）に収納されている。つまり、チェックターミナルＴＴ、買電用電力量計１Ｍｅ、及び、売電用電力量計２Ｍｅは、屋内に設置されている。チェックターミナルＴＴ、買電用電力量計１Ｍｅ、及び、売電用電力量計２Ｍｅは、風雨又は直射日光を遮蔽できる。
【００２７】
図１又は図２を参照すると、変成器（ＶＣＴ）Ｖｃは、高圧電路の大電流を小電流に変成して、買電用電力量計１Ｍｅ及び売電用電力量計２Ｍｅを動作できる。又、変成器Ｖｃは、高圧電路の電圧を低電圧に降圧して、買電用電力量計１Ｍｅ及び売電用電力量計２Ｍｅに低電圧を印加できる。
【００２８】
図１又は図２を参照すると、変成器Ｖｃの２次側端子台２Ｖｃは、チェックターミナルＴＴの一方側に電気的に接続している。電力計量装置１０の配線構造は、２次側端子台２ＶｃとチェックターミナルＴＴの一方側を、絶縁被覆を色分けした七本の電気ケーブルＣｂで接続している。より具体的には、２次側端子台２ＶｃとチェックターミナルＴＴの一方側は、黒（ＢＫ）、赤（ＲＤ）、青（ＢＵ）、茶（ＢＮ）、黄（ＹＥ）、白（ＷＴ）、緑（ＧＮ）で色分けされた七本の電気ケーブルＣｂで接続している。
【００２９】
図２を参照すると、２次側端子台２ＶｃとチェックターミナルＴＴの一方側を接続した七本の電気ケーブルＣｂは、それらの電気ケーブルＣｂを束ねている。更に、束ねた電気ケーブルＣｂの周囲をホース状の柔軟な有彩色のケーブルカバー２ｃで覆っている。これにより、直射日光が電気ケーブルＣｂの絶縁被覆を劣化させることを抑制できる。
【００３０】
図１から図３を参照すると、チェックターミナルＴＴの他方側と買電用電力量計１Ｍｅは、絶縁被覆を色分けした五本の電気ケーブルＣｂで接続している。より具体的には、チェックターミナルＴＴの他方側と買電用電力量計１Ｍｅは、黒（ＢＫ）、赤（ＲＤ）、青（ＢＵ）、茶（ＢＮ）、白（ＷＴ）で色分けされた五本の電気ケーブルＣｂで接続している（図４の表２参照）。つまり、チェックターミナルＴＴと買電用電力量計１Ｍｅとは、色分けされた五本の電気ケーブルＣｂからなる第１電気ケーブル群Ｇ１で配線している（図３参照）。
【００３１】
又、図１から図３を参照すると、買電用電力量計１Ｍｅと売電用電力量計２Ｍｅは、絶縁被覆を色分けした五本の電気ケーブルＣｂで接続している。より具体的には、買電用電力量計１Ｍｅと売電用電力量計２Ｍｅは、赤（ＲＤ）、青（ＢＵ）、黄（ＹＥ）、白（ＷＴ）、緑（ＧＮ）で色分けされた五本の電気ケーブルＣｂで接続している（図４の表１参照）。つまり、買電用電力量計１Ｍｅと売電用電力量計２Ｍｅは、色分けされた五本の電気ケーブルＣｂからなる第２電気ケーブル群Ｇ２で配線している（図３参照）。
【００３２】
更に、図１から図３を参照すると、電力計量装置１０の配線構造は、売電用電力量計２ＭｅとチェックターミナルＴＴの他方側を、絶縁被覆を色分けした二本の電気ケーブルＣｂで接続している。より具体的には、売電用電力量計２ＭｅとチェックターミナルＴＴは、黒（ＢＫ）と茶（ＢＮ）で色分けされた二本の電気ケーブルＣｂで接続している（図４の表３参照）。つまり、売電用電力量計２ＭｅとチェックターミナルＴＴは、色分けされた二本の電気ケーブルＣｂからなる電気ケーブル対ＣＰで配線している（図２又は図３参照）。
【００３３】
図１から図３を参照して、電力会社で発電した電気は、変成器Ｖｃを介して、その電流が買電用電力量計１Ｍｅの端子番号１Ｓから端子番号１Ｌに流れること、及び、買電用電力量計１Ｍｅの端子番号３Ｓから端子番号３Ｌに流れることで、買電用電力量を計量できる。
【００３４】
一方、図１から図３を参照して、電力会社で発電した電気は、買電用電力量計１Ｍｅを介して、その電流が売電用電力量計２Ｍｅの端子番号１Ｌから端子番号１Ｓに流れること、及び、売電用電力量計２Ｍｅの端子番号３Ｌから端子番号３Ｓに流れることで、買電用電力量を計量しない。
【００３５】
図１から図３を参照して、太陽光発電設備Ｇなどで発電し、電力会社に売電する電気は、変成器Ｖｃを介して、その電流が売電用電力量計２Ｍｅの端子番号１Ｓから端子番号１Ｌに流れること、及び、売電用電力量計２Ｍｅの端子番号３Ｓから端子番号３Ｌに流れることで、売電用電力量を計量できる。
【００３６】
一方、図１から図３を参照して、太陽光発電設備Ｇなどで発電し、電力会社で発電した電気は、売電用電力量計２Ｍｅを介して、その電流が買電用電力量計１Ｍｅの端子番号１Ｌから端子番号１Ｓに流れること、及び、買電用電力量計１Ｍｅの端子番号３Ｌから端子番号３Ｓに流れることで、売電用電力量を計量しない。
【００３７】
このように、図１から図３を参照すると、買電用電力量計１Ｍｅと売電用電力量計２Ｍｅは、それらの電力量計の内部に流れる電流の向きが異なるように配線することで、買電用電力量と売電用電力量のいずれか一方を計量できる。
【００３８】
図１から図３を参照すると、買電用電力量計１Ｍｅの端子番号Ｐ１は、チェックターミナルＴＴから延びる赤（ＲＤ）の電気ケーブルＣｂと、売電用電力量計２Ｍｅから延びる赤（ＲＤ）の電気ケーブルＣｂを縦続接続している。
【００３９】
又、図１から図３を参照すると、買電用電力量計１Ｍｅの端子番号Ｐ３は、チェックターミナルＴＴから延びる青（ＢＵ）の電気ケーブルＣｂと、売電用電力量計２Ｍｅから延びる青（ＢＵ）の電気ケーブルＣｂを縦続接続している。
【００４０】
更に、図１から図３を参照すると、買電用電力量計１Ｍｅの端子番号Ｐ２は、チェックターミナルＴＴから延びる、白（ＷＴ）の電気ケーブルＣｂと、売電用電力量計２Ｍｅから延びる白（ＷＴ）の電気ケーブルＣｂを縦続接続している。
【００４１】
図１から図３を参照して、実施形態による電力計量装置１０の配線構造は、チェックターミナルＴＴから買電用電力量計１Ｍｅに延びる赤（ＲＤ）、青（ＢＵ）、白（ＷＴ）の電気ケーブルＣｂと、売電用電力量計２Ｍｅから買電用電力量計１Ｍｅに延びる赤（ＲＤ）、青（ＢＵ）、白（ＷＴ）の電気ケーブルＣｂを縦続接続している。
【００４２】
図１から図３を参照して、例えば、赤（ＲＤ）、青（ＢＵ）、白（ＷＴ）の電気ケーブルＣｂの芯線をリングスリーブ（図示せず）で圧着し、チェックターミナルＴＴから延びる電気ケーブルＣｂと、売電用電力量計２Ｍｅから延びる電気ケーブルＣｂを縦続接続することが好ましい。
【００４３】
なお、図１を参照すると、赤（ＲＤ）と青（ＢＵ）の電気ケーブルＣｂは、電圧線であり、白（ＷＴ）の電気ケーブルＣｂは、アースに接続されているので、赤（ＲＤ）、青（ＢＵ）、白（ＷＴ）の電気ケーブルＣｂを縦続接続しても、変成器Ｖｃに負荷を与える心配がない。
【００４４】
図２又は図３を参照して、売電用電力量計２ＭｅからチェックターミナルＴＴに向かって延びる電気ケーブル対ＣＰを、その経路の途中で縦続接続することは好ましくない。電気ケーブル対ＣＰは電流線であるので、経年劣化に起因した縦続接続の不良により、変成器Ｖｃに負荷を与える心配があるからである。
【００４５】
図２を参照すると、実施形態による電力計量装置１０の配線構造は、第１電気ケーブル群Ｇ１と電気ケーブル対ＣＰをチェックターミナルＴＴに向かって合流させている。そして、第１電気ケーブル群Ｇ１の電気ケーブルＣｂと電気ケーブル対ＣＰの電気ケーブルＣｂの周囲をケーブルカバー１ｃで覆っている。
【００４６】
図１から図３を参照して、従来技術による電力計量装置の配線構造は、チェックターミナルＴＴと買電用電力量計１Ｍｅを接続していた七本の電気ケーブルＣｂの内、売電用電力量計２Ｍｅの増設に伴って、不要になった二本の電気ケーブルＣｂを、七本の電気ケーブルＣｂの周囲を覆ったケーブルカバーの両端部で絶縁可能に端末処理していた。つまり、不要な電気ケーブルＣｂをケーブルカバーの内部に収容するなど無駄が多かった。
【００４７】
図１から図４を参照すると、実施形態による電力計量装置１０の配線構造は、チェックターミナルＴＴと買電用電力量計１Ｍｅとを配線した第１電気ケーブル群Ｇ１と、チェックターミナルＴＴと売電用電力量計２Ｍｅとを配線した電気ケーブル対ＣＰをチェックターミナルＴＴに向かって合流させ、これらの電気ケーブルＣｂの周囲をケーブルカバー１ｃで覆っているので、無駄なく配線できる。
【００４８】
図１から図４を参照すると、売電用電力量計２Ｍｅの端子台には、色分けした七本の電気ケーブルＣｂを接続している。これにより、売電用電力量計２Ｍｅには、誤認することなく、その端子番号に対応した色分けした電気ケーブルＣｂを接続できる。
【００４９】
図１から図３を参照すると、売電用電力量計２Ｍｅの端子番号１Ｓに接続した黒（ＢＫ）の電気ケーブルＣｂは、チェックターミナルＴＴの端子番号１Ｌに接続している(図４の表３参照)。又、売電用電力量計２Ｍｅの端子番号３Ｓに接続した茶（ＢＮ）の電気ケーブルＣｂは、チェックターミナルＴＴの端子番号３Ｌに接続している(図４の表３参照)。
【００５０】
一方、図１から図３を参照すると、チェックターミナルＴＴの端子番号１Ｓには、黒（ＢＫ）の電気ケーブルＣｂを接続している(図４の表２参照)。又、チェックターミナルＴＴの端子番号３Ｓには、茶（ＢＮ）の電気ケーブルＣｂを接続している(図４の表２参照)。つまり、配線ミスを誘発してしまう。
【００５１】
図１を参照して、黒（ＢＫ）の電気ケーブルＣｂ又は茶（ＢＮ）の電気ケーブルＣｂをチェックターミナルＴＴの対応する端子番号に正しく接続するために、買電用電力量計１ＭｅからチェックターミナルＴＴに延びる電気ケーブルＣｂの色相と異なる色相を有する識別手段を電気ケーブル対ＣＰの電気ケーブルＣｂに設けることが好ましい。
【００５２】
図２を参照して、チェックターミナルＴＴの端子番号１Ｌに接続する黒（ＢＫ）の電気ケーブルＣｂには、緑（ＧＮ）の粘着テープを電気ケーブルＣｂの外周に巻回すると共に、チェックターミナルＴＴの端子番号３Ｌに接続する茶（ＢＮ）の電気ケーブルＣｂには、黄（ＹＥ）の粘着テープを電気ケーブルＣｂの外周に巻回することで、配線ミスを抑制する識別手段とすることができる。
【００５３】
又、図１又は図３を参照して、チェックターミナルＴＴの端子番号１Ｌに接続する黒（ＢＫ）の電気ケーブルＣｂには、チェックターミナルＴＴの内部で、黒（ＢＫ）の電気ケーブルＣｂの外周に緑（ＧＮ）の絶縁カラーを部分的に取り付ける共に、チェックターミナルＴＴの端子番号３Ｌに接続する茶（ＢＮ）の電気ケーブルＣｂには、チェックターミナルＴＴの内部で、茶（ＢＮ）の電気ケーブルＣｂの外周に黄（ＹＥ）の絶縁カラーを部分的に取り付けることで、配線ミスを抑制する識別手段とすることができる。
【００５４】
実施形態では、図１又は図３を参照して、黒（ＢＫ）の電気ケーブルＣｂ又は茶（ＢＮ）の電気ケーブルＣｂをチェックターミナルＴＴの対応する端子番号に接続するために、チェックターミナルＴＴの端子番号１Ｌに接続する黒（ＢＫ）の電気ケーブルＣｂには、緑（ＧＮ）の識別テープ１Ｔｃを部分的に貼着すると共に、チェックターミナルＴＴの端子番号３Ｌに接続する茶（ＢＮ）の電気ケーブルＣｂには、黄（ＹＥ）の識別テープ２Ｔｃを部分的に貼着している。
【００５５】
［電力計量装置の配線構造の作用］
次に、実施形態による電力計量装置１０の配線構造の作用及び効果を説明する。図２又は図３を参照すると、実施形態による電力計量装置１０の配線構造は、第１電気ケーブル群Ｇ１と電気ケーブル対ＣＰをチェックターミナルＴＴに向かって合流させている。そして、第１電気ケーブル群Ｇ１の電気ケーブルＣｂと電気ケーブル対ＣＰの電気ケーブルＣｂの周囲をケーブルカバー１ｃで覆っている。
【００５６】
図１から図３を参照して、従来技術による電力計量装置の配線構造は、チェックターミナルＴＴと買電用電力量計１Ｍｅを接続していた七本の電気ケーブルＣｂの内、売電用電力量計２Ｍｅの増設に伴って、不要になった二本の電気ケーブルＣｂを、七本の電気ケーブルＣｂの周囲を覆ったケーブルカバーの両端部で絶縁可能に端末処理していた。つまり、不要な電気ケーブルＣｂをケーブルカバーの内部に収容するなど無駄が多かった。
【００５７】
図１から図４を参照すると、実施形態による電力計量装置１０の配線構造は、チェックターミナルＴＴと買電用電力量計１Ｍｅとを配線した第１電気ケーブル群Ｇ１と、チェックターミナルＴＴと売電用電力量計２Ｍｅとを配線した電気ケーブル対ＣＰをチェックターミナルＴＴに向かって合流させ、これらの電気ケーブルＣｂの周囲をケーブルカバー１ｃで覆っているので、無駄なく配線できる。
【００５８】
図１から図３を参照すると、売電用電力量計２Ｍｅの端子番号１Ｓに接続した黒（ＢＫ）の電気ケーブルＣｂは、チェックターミナルＴＴの端子番号１Ｌに接続している(図４の表３参照)。又、売電用電力量計２Ｍｅの端子番号３Ｓに接続した茶（ＢＮ）の電気ケーブルＣｂは、チェックターミナルＴＴの端子番号３Ｌに接続している(図４の表３参照)。
【００５９】
一方、図１から図３を参照すると、チェックターミナルＴＴの端子番号１Ｓには、黒（ＢＫ）の電気ケーブルＣｂを接続している(図４の表２参照)。又、チェックターミナルＴＴの端子番号３Ｓには、茶（ＢＮ）の電気ケーブルＣｂを接続している(図４の表２参照)。つまり、従来技術による電力計量装置の配線構造は、配線ミスを誘発してしまう心配があった。
【００６０】
図１を参照して、黒（ＢＫ）の電気ケーブルＣｂ又は茶（ＢＮ）の電気ケーブルＣｂをチェックターミナルＴＴの対応する端子番号に正しく接続するために、実施形態による電力計量装置１０の配線構造は、買電用電力量計１ＭｅからチェックターミナルＴＴに延びる電気ケーブルＣｂの色相と異なる色相を有する識別手段を電気ケーブル対ＣＰの電気ケーブルＣｂに設けている。
【００６１】
図１又は図２を参照して、前記識別手段は、電気ケーブル対ＣＰの電気ケーブルＣｂの外周に巻回した粘着テープ（図示せず）からなってもよく、前記識別手段は、チェックターミナルＴＴの内部で、電気ケーブル対ＣＰの電気ケーブルＣｂの外周に部分的に取り付けた絶縁カラー（図示せず）からなってもよい。
【００６２】
実施形態では、図１又は図３を参照して、チェックターミナルＴＴの端子番号１Ｌに接続する黒（ＢＫ）の電気ケーブルＣｂには、緑（ＧＮ）の識別テープ１Ｔｃを部分的に貼着すると共に、チェックターミナルＴＴの端子番号３Ｌに接続する茶（ＢＮ）の電気ケーブルＣｂには、黄（ＹＥ）の識別テープ２Ｔｃを部分的に貼着している。これにより、同色の電気ケーブルＣｂに起因する配線ミスを抑制できる。
【００６３】
本発明による電力計量装置の配線構造は、以下の効果を期待できる。
（１）シンプルな配線構造のため、誤結線の心配がなく、結線の確認が容易である。
（２）配線の取り回しが容易である。
（３）使用しない電気ケーブルの端末処理など余計な手間がなくなる。
（４）買電用電力量計から延びる第１電気ケーブル群の電気ケーブルの色相と異なる色相を有する識別テープを売電用電力量計から延びるチェックターミナル側の電気ケーブルに貼着することで、配線ミスを抑制できる。
【符号の説明】
【００６４】
１ｃ  ケーブルカバー
１Ｍｅ  買電用電力量計
２Ｍｅ  売電用電力量計
１０  電力計量装置
ＣＰ  電気ケーブル対
Ｇ１  第１電気ケーブル群
Ｇ２  第２電気ケーブル群
ＴＴ  チェックターミナル
Ｖｃ  変成器（ＶＣＴ）
【図１】
2019105525.tif 000003
【図２】
2019105525.tif 000004
【図３】
2019105525.tif 000005
【図４】
2019105525.tif 000006